【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
種々の演出画像を表示する表示手段と、
役の抽選を行う役抽選手段と、
複数種類の図柄が表示された複数のリールと、
前記複数のリールの各々に設けられ、前記リールの各々を停止させるためのストップ手段と、
回転中の前記リールの停止動作を前記役抽選手段の抽選結果及び前記ストップ手段の操作に応じて制御するリール停止制御手段と、
通常遊技状態、及び、当該通常遊技状態と比べて遊技者により有利な遊技状態である特別遊技状態を切り換える遊技状態制御手段と、
連続する所定回数の遊技の各々の遊技において、当該１回の遊技で、所定のタイミングで前記ストップ手段が操作された場合に、前記リール停止制御手段が所定の位置に停止させることができる図柄及び当該停止位置を告知する第１のパネル演出パターン、及び、前記リール停止制御手段が、前記ストップ手段が何れのタイミングで操作されたとしても、所定の位置に停止させないようにすることができる図柄及び当該停止位置を告知する第２のパネル演出パターンから、いずれかのパネル演出パターンを選択する告知演出パターン選択手段と、
前記告知演出パターン選択手段により選択された前記パネル演出パターンに対応した演出画像を前記表示手段に表示する告知演出制御手段と、を具備し、
前記告知演出パターン選択手段は、前記連続する所定回数の遊技に対して予め決められた前記第１のパネル演出パターン及び前記第２のパネル演出パターンの選択組み合わせである複数のゲーム間演出パターンの中からいずれか一つのゲーム間演出パターンを選択することにより、当該連続する所定回数の遊技の各々の遊技における前記パネル演出パターンを選択するように構成され、且つ、前記遊技状態制御手段が、前記所定回数の遊技が経過した後に前記特別遊技状態に切り換えると決定したときと、前記特別遊技状態に切り換えないと決定したときとで、前記ゲーム間演出パターンの選択比率を異ならせるとともに、前記特別遊技状態に切り換えないと決定したときに比べて前記特別遊技状態に切り換えると決定したときの方が前記連続する所定回数の遊技において前記第１のパネル演出パターンを選択する割合が高くなるように構成することを特徴とする遊技機。
【請求項２】
前記役抽選手段の抽選により所定の抽選結果となった場合の前記リールの停止制御パターンを複数パターン格納するパターン格納手段と、
前記役抽選手段の抽選により所定の抽選結果となった場合に、前記パターン格納手段より前記リールの前記停止制御パターンを選択するパターン選択手段と、を有し、
前記リール停止制御手段は、前記役抽選手段の抽選結果及び前記ストップ手段の操作に応じて、前記パターン選択手段から前記停止制御パターンを選択し、当該停止制御パターンに基づいて回転中の前記リールの停止動作を制御するように構成され、
前記告知演出パターン選択手段は、前記パターン選択手段により選択された前記停止制御パターンに基づいて、所定のタイミングで前記ストップ手段が操作された場合に、前記リール停止制御手段の停止制御により停止する可能性のある特定の図柄である第１の図柄及び当該第１の図柄の停止位置から第１のパネル演出パターンを決定し、前記停止制御パターンのうち、前記パターン選択手段が選択しなかった他の前記停止制御パターンに基づいて、前記ストップ手段が何れのタイミングで操作されたとしても、前記リール停止制御手段が前記リールを所定の位置に停止させないようにすることができる特定の図柄である第２の図柄及び当該第２の図柄の停止位置から第２のパネル演出パターンを決定して、いずれかのパネル演出パターンを選択するように構成されることを特徴とする請求項１に記載の遊技機。
【請求項３】
前記告知演出制御手段は、前記連続する所定回数の遊技の各々において、前記パネル演出パターンに対応する前記演出画像に含まれる前記図柄を、当該演出画像に表示された前記リールの前記停止位置に停止させることができたか否かを表示することを特徴とする請求項１または２に記載の遊技機。
【請求項４】
前記告知演出パターン選択手段は、前記役抽選手段により所定の役に当選したときに、前記第１のパネル演出パターンを選択したときは、前記図柄及び前記停止位置に代えて当該役を告知する演出パターンを選択し、前記第２のパネル演出パターンを選択したときは、前記図柄及び前記停止位置に代えて当該役と異なる役を告知する演出パターンを選択することを特徴とする請求項１〜３のいずれか一項に記載の遊技機。
【手続補正２】
【補正対象書類名】明細書
【補正対象項目名】０００７
【補正方法】変更
【補正の内容】
【０００７】
この発明は、上述した課題を解決すべくなされたもので、本発明による遊技機においては、種々の演出画像を表示する表示手段と、役の抽選を行う役抽選手段と、複数種類の図柄が表示された複数のリールと、前記複数のリールの各々に設けられ、前記リールの各々を停止させるためのストップ手段と、回転中の前記リールの停止動作を前記役抽選手段の抽選結果及び前記ストップ手段の操作に応じて制御するリール停止制御手段と、
通常遊技状態、及び、当該通常遊技状態と比べて遊技者により有利な遊技状態である特別遊技状態を切り換える遊技状態制御手段と、連続する所定回数の遊技の各々の遊技において、当該１回の遊技で、所定のタイミングで前記ストップ手段が操作された場合に、前記リール停止制御手段が所定の位置に停止させることができる図柄及び当該停止位置を告知する第１のパネル演出パターン、及び、前記リール停止制御手段が、前記ストップ手段が何れのタイミングで操作されたとしても、所定の位置に停止させないようにすることができる図柄及び当該停止位置を告知する第２のパネル演出パターンから、いずれかのパネル演出パターンを選択する告知演出パターン選択手段と、前記告知演出パターン選択手段により選択された前記パネル演出パターンに対応した演出画像を前記表示手段に表示する告知演出制御手段と、を具備し、前記告知演出パターン選択手段は、前記連続する所定回数の遊技に対して予め決められた前記第１のパネル演出パターン及び前記第２のパネル演出パターンの選択組み合わせである複数のゲーム間演出パターンの中からいずれか一つのゲーム間演出パターンを選択することにより、当該連続する所定回数の遊技の各々の遊技における前記パネル演出パターンを選択するように構成され、且つ、前記遊技状態制御手段が、前記所定回数の遊技が経過した後に前記特別遊技状態に切り換えると決定したときと、前記特別遊技状態に切り換えないと決定したときとで、前記ゲーム間演出パターンの選択比率を異ならせるとともに、前記特別遊技状態に切り換えないと決定したときに比べて前記特別遊技状態に切り換えると決定したときの方が前記連続する所定回数の遊技において前記第１のパネル演出パターンを選択する割合が高くなるように構成することを特徴とする遊技機。
【手続補正３】
【補正対象書類名】明細書
【補正対象項目名】０００９
【補正方法】変更
【補正の内容】
【０００９】
更に、第２の演出パターンが選択される場合もあるため、目押しができなかった場合でも特別遊技への移行に対する期待感を遊技者に与えることもできます。
【手続補正４】
【補正対象書類名】明細書
【補正対象項目名】００１０
【補正方法】変更
【補正の内容】
【００１０】
また、本発明による遊技機の一態様例においては、前記役抽選手段の抽選により所定の抽選結果となった場合の前記リールの停止制御パターンを複数パターン格納するパターン格納手段と、前記役抽選手段の抽選により所定の抽選結果となった場合に、前記パターン格納手段より前記リールの前記停止制御パターンを選択するパターン選択手段と、を有し、前記リール停止制御手段は、前記役抽選手段の抽選結果及び前記ストップ手段の操作に応じて、前記パターン選択手段から前記停止制御パターンを選択し、当該停止制御パターンに基づいて回転中の前記リールの停止動作を制御するように構成され、前記告知演出パターン選択手段は、前記パターン選択手段により選択された前記停止制御パターンに基づいて、所定のタイミングで前記ストップ手段が操作された場合に、前記リール停止制御手段の停止制御により停止する可能性のある特定の図柄である第１の図柄及び当該第１の図柄の停止位置から第１のパネル演出パターンを決定し、前記停止制御パターンのうち、前記パターン選択手段が選択しなかった他の前記停止制御パターンに基づいて、前記ストップ手段が何れのタイミングで操作されたとしても、前記リール停止制御手段が前記リールを所定の位置に停止させないようにすることができる特定の図柄である第２の図柄及び当該第２の図柄の停止位置から第２のパネル演出パターンを決定して、いずれかのパネル演出パターンを選択するように構成されることを特徴とする。
【手続補正５】
【補正対象書類名】明細書
【補正対象項目名】００１１
【補正方法】変更
【補正の内容】
【００１１】
これにより、リール停止手段が停止制御パターンにもとづいてリールの停止制御を行う場合に、遊技者へ目押し可能である適切な出目を告知することが可能となる。
【手続補正６】
【補正対象書類名】明細書
【補正対象項目名】００１２
【補正方法】変更
【補正の内容】
【００１２】
また、本発明による遊技機の一態様例においては、前記告知演出制御手段は、前記連続する所定回数の遊技の各々において、前記パネル演出パターンに対応する前記演出画像に含まれる前記図柄を、当該演出画像に表示された前記リールの前記停止位置に停止させることができたか否かを表示することを特徴とする。
これにより、遊技者は表示手段に表示された通りに目押しできたか否かを確認することができ、遊技状態制御手段により、特別遊技状態に移行されるのかされないのかを推測し易くなる。
【手続補正７】
【補正対象書類名】明細書
【補正対象項目名】００１３
【補正方法】変更
【補正の内容】
【００１３】
また、本発明による遊技機の一態様例においては、前記告知演出パターン選択手段は、前記役抽選手段により所定の役に当選したときに、前記第１のパネル演出パターンを選択したときは、前記図柄及び前記停止位置に代えて当該役を告知する演出パターンを選択し、前記第２のパネル演出パターンを選択したときは、前記図柄及び前記停止位置に代えて当該役と異なる役を告知する演出パターンを選択することを特徴とする。
これにより、演出のバリエーションを広げることができる。